(57)【要約】      （修正有）【課題】テーブル、椅子、家具、什器を、絡みやすい紐、チェンによるつなぎ止めなしに挿し止め置きすることができるロックピンを提供する。【解決手段】ロックピン６に抜け出し防止壁に当たる引き戻し方向への抜け出し防止部材８を設けるとともに外端に内方向、つまり押し込み方向の抜け出しを防止する抜け出し防止材を取り付けて可動部のピン孔に挿し置くようにして課題を解決する。【選択図】図１
0003233316.tif 000002
【実用新案登録請求の範囲】
【請求項１】
組立てテーブルの不動部である天板と、可動部である折り畳み脚を含む家具，什器の不動部と可動部に設けるそれぞれのピン孔が可動部の可動により一致したときに外側からロックピンを押し込みしてロックするロックピンにおいて、不動部と可動部のピン孔を拡径するとともに可動部のピン孔の外端に小径な軸孔との間でロックピンの引き戻し時の抜け出し防止壁を形成し、ロックピンの中間にこの抜け出し防止壁に当て止まりする抜け出し防止部材を設け、このロックピンを不動部と可動部のピン孔の不一致時に可動部のピン孔に内側から挿し込み、且つロックピンの軸孔から出た外端に押し込み時の抜け出し防止材を取り付けてロックピンを可動部のピン孔に挿し止め置きするようにし、可動部の作動により可動部のピン孔が不動部のピン孔と一致したときにロックピンを外側から不動部のピン孔に押し込んでロックすることを特徴とするテーブル，椅子を含む家具，什器のロックピン構造。
【請求項２】
ロックピンの中間に設ける抜け出し防止部材は鍔体である請求項１に記載のるテーブル，椅子を含む家具，什器のロックピン構造。
【請求項３】
ロックピンの外端に取り付ける抜け出し防止材は軸孔の径より大きいリング，ネジまたはボルトである請求項１または２に記載のるテーブル，椅子を含む家具，什器のロックピン構造。
【考案の詳細な説明】
【技術分野】
【０００１】
この考案はテーブル，椅子など家具什器類におけるロックピン構造に関するものである。
【背景技術】
【０００２】
テーブルについてロックピンを記載した特開２０１６−１９５６８１号公報が従来例として記載されている。
この公報はテーブルの天板の中央部に設けた開口部に天板蓋を着脱自在に嵌め込んだ際に前後の辺縁部に設けた穴にロックピンを係合することで開口部に固定するということを記載しているようである。
【０００３】
また、図５（ａ）（ｂ）に示す一般的に使われている挿し込んでロックするロックピンは簡単に抜け出して紛失したりするおそれがある。紐やチェンでつなぎ止めする提案があるも、折畳み，展開時に紐やチェンが挟まったり絡んだり切れたりして動作を障害することがある。
【先行技術文献】
【特許文献】
【０００４】
【特許文献１】特開２０１６−１９５６８１号公報
【考案の概要】
【考案が解決しようとする課題】
【０００５】
上記した公報のロックピンは詳細構造が全く不明のため、多くの家具，什器類における固定用としては使用することができないという課題がある。
【０００６】
また、従来より知られているロックピンは抜き出したあと、置き忘れや紛失したりすることがあり、これを防止するために什器との間で紐やチェンでつなぎとめる考えは、紐やチェンが前記したように絡んだり、切れたりする障害がある。
【課題を解決するための手段】
【０００７】
本考案はロックピンの中間に引き出し時に抜け出し防止壁に当たり止めする引き戻し方向の抜け出し防止部材を設け、さらにロックピンの外端に押し込み方向の抜け出し防止材を取り付けて、押し，引きの双方でロックピンの抜け外れを防止するようにして課題を解決する。
【考案の効果】
【０００８】
本考案のロックピンは繰返し使用しても、押し，引きの双方において抜け外れることがないという効果を生ずる。
【０００９】
ロックピンの紛失を防止するという効果を生ずる。
【００１０】
紐，チェンなどによるつなぎ止めを不要とするので、絡んだり切れたりする障害がすべて解消するという効果を生ずる。
【図面の簡単な説明】
【００１１】
【図１】テーブルと折り畳み脚をロックピンでロックする１実施例を示す正面図
【図２】（ａ）はロックピンを挿し込み前の状態にて示す部分拡大断面図、（ｂ）はロックピンを挿し込んでロックした状態を示す部分拡大断面図
【図３】ロックピンを可動部に装着する説明図で（ａ）は可動部のピン孔の内側からロックピンを挿し込む前の状態、（ｂ）はロックピンを挿し込んで突き出した外端に抜け出し防止材（リング）を取り付けた状態を示す部分拡大断面図
【図４】抜け出し防止材をリングにかえてネジとした例を示す取付前の状態の部分拡大断面図
【図５】従来のロックピンの使用状態を示す拡大部分断面図
【考案を実施するための形態】
【００１２】
本考案は家具，什器類の不動部と摺り合わせする可動部の可動により両者のピン孔が一致したときに外側から押し込み止めするロックピンの中間に引き戻し方向の抜け出しを防止する抜け出し防止部材を設け、さらにロックピンの外端に押し込み方向の抜け外れを防止する防止材を取り付けて家具，什器に挿し止め置くロックピン構造とする。
【実施例１】
【００１３】
以下、テーブルと折り畳み脚に基づいて本考案の実施例を説明する。
【００１４】
テーブル１は天板１ａを不動部Ａとし、折畳み脚２を可動部Ｂとしている。
【００１５】
不動部Ａと可動部Ｂは図２（ａ）（ｂ）に示すように摺り合わされており、外端の小径で短小な軸孔３の内側に拡径したピン孔４ａ，４ｂを設け、可動部Ｂのピン孔４ａと外端の軸孔３との間にロックピン６の引き戻し時の抜け出し防止壁５を形成している。
【００１６】
ロックピン６は中間に鍔体などによる引き戻し方向の抜け出しを防止する抜け出し防止部材７を設けていて、ロックピン６を外方向へ引き戻しするときに抜け出し防止壁５に当たって引き戻し方向への抜け出しが防止されるようになっている。
【００１７】
このロックピン６は可動部Ｂのピン孔４ａが不動部Ａのピン孔４ｂから離れている状態でピン孔４ａ内に内側から挿し込み、図３（ｂ）に示すように軸孔３から突き出したロックピン６の外端に押し込み方向への抜け出しを防止する軸孔３より径の大きいリングなどの抜け出し防止材８を取り付けるのである。こうしてロックピン６は押し，引きの両方向への抜け出しが防止されて、テーブル１の折り畳み脚２内に挿し置かれることになる。なお、抜け出し防止材８はリングにかえて図４に示すように頭の大きいネジにすることもある。
【００１８】
折畳み脚２が軸９を基に回動し起立すると、可動部Ｂのピン孔４ａが不動部Ａのピン孔４ｂに合致するのでロックピン６を外端から押して中間から先をピン孔４ｂに押し込みして可動部Ｂが戻り回動しないようにロックする。こうしてテーブル１は図１に示すように起立した状態に組立てられることになる。
【００１９】
しかして可動部、つまり折畳み脚３を折り畳むときは、ロックピン６を外方向に引き出して先端部をピン孔４ｂより抜き出すのである。ロックピン６はロックを解除して折り畳み脚３を難なく折り畳み得るようにする。
【００２０】
以上の構造は折り畳み，起立するように形成する椅子のほか，家具，什器の開閉扉，スライドドアなどのロックと解除にそのまま適用されるものである。
【００２１】
本考案によれば紐やチェンによるつなぎ止めがないので、挟まったり、絡んだり切れたりする障害を生ずることも解消する。
【産業上の利用可能性】
【００２２】
この考案はロックピンを絡むことなしに挿し置きして紛失させないことで広く利用されるものである。
【符号の説明】
【００２３】
１はテーブル
２は折り畳み脚
３は軸孔
４ａは可動部のピン孔
４ｂは不動部のピン孔
５は抜け出し防止壁
６はロックピン
７はロックピンの中間に設けた抜け出し防止部材
８はロックピンの外端に取り付けた抜け出し防止材
９は軸
Ａは不動部
Ｂは可動部
【図１】
0003233316.tif 000003
【図２】
0003233316.tif 000004
【図３】
0003233316.tif 000005
【図４】
0003233316.tif 000006
【図５】
0003233316.tif 000007